(57)【要約】【課題】マイコンなどの制御回路の構成部品が誤動作した時でもスイッチング素子が破壊せず、信頼性の高い電磁調理器を提供する。【解決手段】制御回路１０がスイッチング素子６に所定時間オン信号を出力すると、制御回路１０のオン信号に優先して、スイッチング素子６にオフ信号を出力する強制オフ手段１１を備える。【選択図】  図１
2004362796.tif 000002
【特許請求の範囲】
【請求項１】
高周波磁界を発生する加熱コイルと、前記加熱コイルに高周波電流を供給するスイッチング素子と、前記スイッチング素子のオンオフを制御する制御手段と、前記制御手段がスイッチング素子に所定時間オン信号を出力すると、前記制御手段のオン信号に優先して、スイッチング素子にオフ信号を出力する強制オフ手段とを備えた電磁調理器。
【請求項２】
制御手段は、動作モードに応じて所定時間を変える請求項１に記載の電磁調理器。
【請求項３】
強制オフ手段がスイッチング素子にオフ信号を出力した場合に、制御手段は、動作のモードを初期モードにする請求項１に記載の電磁調理器。
【請求項４】
報知手段を有し、強制オフ手段がスイッチング素子にオフ信号を出力した場合に報知を行う請求項１に記載の電磁調理器。
【請求項５】
強制オフ手段がスイッチング素子にオフ信号を出力した場合に、強制オフ手段は、調理を停止するまでオフ信号の解除をしない請求項１に記載の電磁調理器。
【請求項６】
記憶手段を有し、強制オフ手段がスイッチング素子にオフ信号を出力した場合に、強制オフ手段は、記憶手段に強制オフ手段がスイッチング素子にオフ信号を出力したことを記憶させる請求項１に記載の電磁調理器。
【請求項７】
強制オフ手段がスイッチング素子にオフ信号を出力した場合に、強制オフ手段は、記憶手段に強制オフ手段がスイッチング素子にオフ信号を出力した累積回数を記憶させる請求項６に記載の電磁調理器。
【発明の詳細な説明】
【０００１】
【発明の属する技術分野】
本発明は誘導加熱方式により調理を行う電磁調理器に関するものである。
【０００２】
【従来の技術】
従来使用されている誘導加熱調理器は、図７に示すような構成となっている。１は交流電源、２はブリッジ形の整流器、３は高周波電力を発生するインバータで、このインバータ３は、加熱コイル４と、共振コンデンサ５と、トランジスタ６と、ダイオード７と、前記整流器２の出力を高周波に対して安定させるチョークコイル８と、コンデンサ９とで構成されている。１０は前記トランジスタ６を制御する制御回路で、マイコンなどで構成されている。
【０００３】
【特許文献１】
特開平９−８２４６６号公報（第１１、第２２図）
【０００４】
【発明が解決しようとする課題】
しかし、このような従来の電磁調理器は、電源に重畳するノイズ、雷、静電気などにより、マイコンなどの制御回路１０の構成部品が一瞬でも誤動作すると、誤動作のモードによってはトランジスタ６が破壊することがあった。例えば、制御回路のマイコンがノイズにより誤動作し、制御回路１０の出力がＨＩＧＨのままになると、トランジスタ６はオンを続けるので、加熱コイル４に低周波大電流が流れトランジスタ６が破壊するという課題を有していた。
【０００５】
本発明はこのような従来の課題を解決するものであり、信頼性の高い電磁調理器を提供することを目的とするものである。
【０００６】
【課題を解決するための手段】
この目的を達成するために本発明は、制御回路１０がトランジスタ６に所定時間オン信号を出力すると、制御回路のオン信号に優先して、トランジスタ６にオフ信号を出力する強制オフ手段を備えたものである。
【０００７】
これによって、制御回路の誤動作によるトランジスタ６の破壊が防止できる。
【０００８】
【発明の実施の形態】
本発明の請求項１に記載の発明は、高周波磁界を発生する加熱コイルと、加熱コイルに高周波電流を供給するスイッチング素子と、スイッチング素子のオンオフを制御する制御手段と、制御手段がスイッチング素子に所定時間オン信号を出力すると、制御手段のオン信号に優先して、スイッチング素子にオフ信号を出力する強制オフ手段とを備え、所定時間を適切に設定することで、制御手段の誤動作でスイッチング素子が破壊するのを防止できる。
【０００９】
請求項２に記載の発明は動作モードに応じて所定時間を変えることにより、スイッチング素子の破壊防止の効果を高めることができる。
【００１０】
請求項３に記載の発明は、強制オフ手段がスイッチング素子にオフ信号を出力した場合に、初期モードにすることによりスイッチング素子の破壊防止の効果をより高めるという作用を有する。
【００１１】
請求項４に記載の発明は、報知手段を有し、強制オフ手段がスイッチング素子にオフ信号を出力した場合に報知を行うことで、使用者に知らせるという作用を有する。
【００１２】
請求項５に記載の発明は、強制オフ手段がスイッチング素子にオフ信号を出力した場合に、料理を停止するまでオフ信号の解除をしないことで、スイッチング素子の破壊防止の効果をより高めるという作用を有する。
【００１３】
請求項６に記載の発明は、記憶手段を有し、強制オフ手段がスイッチング素子にオフ信号を出力した場合に、記憶手段にそのことを記憶させることで、修理時の対応を容易にするという効果を有する。
【００１４】
請求項７に記載の発明は、強制オフ手段がスイッチング素子にオフ信号を出力した場合に、記憶手段にその累積回数を記憶するため、市場でどの程度の頻度で強制オフ手段が働いているかが分かるという効果を有する。
【００１５】
【実施例】
以下本発明の第１の実施例について、図面を参照しながら説明する。
【００１６】
（実施例１）
図１において、１は交流電源、２はブリッジ形の整流器、３は高周波電力を発生するインバータで、このインバータ３は、加熱コイル４と、共振コンデンサ５と、加熱コイル４に高周波電流を供給するスイッチング素子であるトランジスタ６と、ダイオード７と、前記整流器２の出力を高周波に対して安定させるチョークコイル８、コンデンサ９とで構成されている。１０は前記トランジスタ６のオンオフを制御する制御回路で、マイコンなどで構成されている。１１は制御手段１０がトランジスタ６に所定時間オン信号を出力すると、制御手段１０のオン信号に優先して、スイッチング素子にオフ信号を出力する強制オフ手段、１２は電源スイッチ、１３は電流ヒューズ、１４は調理のスタートとストップを入力する入切手段である。
【００１７】
以上のように構成された電磁調理器について、以下その動作を説明する。
【００１８】
使用者が電源スイッチ１２をオンし、入切手段１４を操作すると調理がスタートする。制御回路１０がトランジスタ６を正常に駆動している場合、トランジスタ６は加熱コイル４と共振コンデンサ５が共振をするようスイッチング動作をしている。本実施例ではトランジスタのオンオフの周期を４０μＳ、オン時間の最大を２０μＳとする。
【００１９】
しかしながら、制御回路１０の誤動作（例えば制御回路１０の構成部品であるマイコンのラッチアップ）などで、制御回路１０が正常時の最大オン時間以上トランジスタ６にオン信号を出力した場合、所定時間（本実施例では２５μＳとする）になれば強制オフ手段１１が強制的に制御回路１０の出力をオフにする。この結果トランジスタ６はオフする。
【００２０】
（実施例２）
次に本発明の第２の実施例について、図２を参照しながら説明する。
【００２１】
第１の実施例に対して動作モード（本実施例では火力）を入力する火力設定手段１５が追加されている。さらに制御回路１０は動作モードの信号を強制オフ手段１１に出力する。
【００２２】
以下その動作を説明する。
【００２３】
入切手段１４で調理がスタートし、制御回路１０がトランジスタ６を正常に駆動している場合、トランジスタ６は加熱コイル４と共振コンデンサ５が共振をするようスイッチング動作をしている。
【００２４】
本実施例ではトランジスタのオンオフの周期を４０μＳ、オン時間の最大を２０μＳとする。使用者が火力設定手段１５を操作して火力「強」、火力「中」、火力「弱」と動作モードを変えた場合、制御回路１０の出力オン時間は火力「強」で２０μＳ、火力「中」で１５μＳ、火力「弱」で１０μＳと変化する。そして、制御回路１０はその動作モード（火力）の情報を強制オフ手段１１に出力する。その結果、強制オフ手段１１は火力「強」の場合に所定時間を２５μＳ、火力「中」の場合に所定時間を２０μＳ、火力「弱」の場合に所定時間を１５μＳと変える。その結果、制御回路１０の誤動作（例えば制御回路１０の構成部品であるマイコンのラッチアップ）などで、制御回路１０が正常時以上の時間トランジスタ６にオン信号を出力した場合、火力に応じた所定時間になれば強制オフ手段１１が強制的に制御回路１０の出力をオフにする。この結果トランジスタ６はオフする。
【００２５】
本実施例では使用者が設定した火力に応じて所定時間を設定したが、自動調理などのように機器が自動的に火力を切り替える場合は、自動的にその火力に応じた所定時間にすることも可能である。
【００２６】
（実施例３）
次に本発明の第３の実施例について図３を参照しながら説明する。
【００２７】
第３の実施例は第１の実施例に追加して、強制オフ手段１１がトランジスタ６にオフ信号を出力した場合に、強制オフ手段１１は制御回路１０に強制的にオフにしている信号を送る。その信号を受けて制御回路１０は動作モードを初期モード、つまり使用者が電源スイッチ１２をオンした状態にする。
【００２８】
（実施例４）
次に本発明の第４の実施例の動作について図４を参照しながら説明する。
【００２９】
第１の実施例に対して報知手段１６が追加され、強制オフ手段１１がトランジスタ６にオフ信号を出力した場合に、報知手段１６が報知を行う。報知はブザーなどによる音でも良いし、文字などによるエラー表示でも良い。
【００３０】
（実施例５）
次に本発明の第５の実施例について、図５を参照しながら説明する。
【００３１】
第５の実施例は第１の実施例に追加して、強制オフ手段１１がトランジスタ６にオフ信号を出力した場合に、強制オフ手段１１は制御回路１０にその信号を送り、制御回路１０は調理が停止した時に強制オフ手段１１にオフ解除信号を送り、強制オフ手段１１は強制オフを解除する。
【００３２】
（実施例６）
次に本発明の第６の実施例の動作について図６を参照しながら説明する。
【００３３】
第１の実施例に対して本実施例は記憶手段１７を有し、強制オフ手段１１がトランジスタ６にオフ信号を出力した場合に、記憶手段１７は強制オフ手段１１が動作したことを記憶する。
【００３４】
（実施例７）
次に本発明の第７の実施例の動作について説明する。
【００３５】
第６の実施例に対して本実施例は、強制オフ手段１１がトランジスタ６にオフ信号を出力した場合に、記憶手段１７は強制オフ手段１１が働いたことを記憶する。かつ、強制オフ手段１１が複数回動作した場合は、その累積回数を記憶する。
【００３６】
【発明の効果】
以上の説明から明らかなように本発明の電磁調理器は、制御回路が誤動作してスイッチング素子に所定時間オン信号を出力すると、制御回路のオン信号に優先して、スイッチング素子を強制的にオフすることで、スイッチング素子の破壊を防ぐ。また、制御回路が誤動作してスイッチング阻止を強制的にオフしたことを記憶することで、制御回路の誤動作回数が分かり、故障の修理などの作業において作業が容易になるなど、実用的価値は大なるものがある。
【図面の簡単な説明】
【図１】本発明の第１の実施例における電磁調理器の構成図
【図２】本発明の第２の実施例における電磁調理器の構成図
【図３】本発明の第３の実施例における電磁調理器の構成図
【図４】本発明の第４の実施例における電磁調理器の構成図
【図５】本発明の第５の実施例における電磁調理器の構成図
【図６】本発明の第６および第７の実施例における電磁調理器の構成図
【図７】従来の電磁調理器の構成図
【符号の説明】
４  加熱コイル
６  スイッチング素子
１０  制御手段
１１  強制オフ手段
１６  報知手段
１７  記憶手段
【図１】
2004362796.tif 000003
【図２】
2004362796.tif 000004
【図３】
2004362796.tif 000005
【図４】
2004362796.tif 000006
【図５】
2004362796.tif 000007
【図６】
2004362796.tif 000008
【図７】
2004362796.tif 000009